(57)【要約】      （修正有）【課題】木材を使用して本体と蓋部を構成した木製バッグにおいて、開口部を大きく開けられるようにして書類などを取り出しやすくするとともに、蓋部を開けた場合であってもバッグ全体を転倒しにくくした木製バッグを提供する。【解決手段】桐で構成された木製バッグ１において、ボックス状に構成され、下方前面部および左右両側面部２２および上面部２３に設けられた縁部２２Ｒ〜２４Ｒに沿って前面側を開放させた木製本体２と、当該開放部分を覆うように、上方前面部３１および左右両側面部３２および上面部３３を有するように設けられた木製蓋部とを有し、前記木製蓋部の回動中心であるヒンジ５を、木製本体２の下方前面部における底面部２０から上方の水平な縁部２４Ｒに設けるようにする。【選択図】図１
0003206152.tif 000002
【実用新案登録請求の範囲】
【請求項１】
木材で構成された木製バッグにおいて、
ボックス状に構成され、前面部および左右両側面部および上面部に設けられた縁部に沿って前面側を開放させた木製本体と、
当該開放部分を覆うように、前面部および左右両側面部および上面部を有するように設けられた木製蓋部と、を有し、
前記蓋部の回動中心を、本体の前面側における底面部から上方の水平な縁部に設けるようにしたことを特徴とする木製バッグ。
【請求項２】
前記木製蓋部の上端部を、床面に接地可能な位置まで回動可能にした請求項１に記載の木製バッグ。
【請求項３】
前記回動中心が、木製蓋部を回動させた際に、木製蓋部の上面部と木製本体の底面部が同じ平面となるような位置に設けられるものである請求項１に記載の木製バッグ。
【考案の詳細な説明】
【技術分野】
【０００１】
本考案は、木材を使用した木製バッグに関するものであり、より詳しくは、桐などのような軽い木材を使用して高級感を漂わせるようにするとともに、実用的な利便性を向上させるようにした木製バッグに関するものである。
【背景技術】
【０００２】
従来より、木材を本体に使用した木製バッグが各種提案されている。
【０００３】
例えば、下記の特許文献１や特許文献２には、本体７１と蓋部７２とからなる箱形形状をなすバッグにおいて、図５に示すように、本体７１と蓋部７２とを半ボックス状の木材で構成し、それぞれを底面部７３に設けられたヒンジで連結して開閉できるようにしたものが提案されている。
【０００４】
このような木材を素材にしてバッグを構成すれば、自然志向で環境にやさしい製品にすることができるとともに、木の質感によって布製バッグや樹脂製バッグなどと比べてデザイン的にも優れたものにすることができる。
【先行技術文献】
【特許文献】
【０００５】
【特許文献１】実開昭６１−１１２９２３号公報
【特許文献２】特開２００６−３１５３９７号公報
【考案の概要】
【考案が解決しようとする課題】
【０００６】
しかしながら、このように木材でバッグを構成する場合においては、次のような問題がある。
【０００７】
すなわち、本体や蓋部などを含めて製品全体を木材で構成する場合、布や樹脂などと比べて非常に重くなってしまい、また、布や樹脂などと比べて柔軟性に欠けるために、書類などを取り出す場合、従来のような布や樹脂の柔らかさを利用して小さな開口部から書類を取り出すことができない。このため、木製バッグにおいては、開口部を大きく開ける構造としておかなければならず、利便性が悪くなってしまうといった問題があった。
【０００８】
また、このように開口部を大きく開ける場合、上記特許文献に示すように、底面部７３に設けられたヒンジを中心に蓋部７２を大きく開けるようにすると、素材である木が非常に重いために、開口した蓋部７２の重みによって本体全体が転倒してしまうといった問題がある。また、ヒンジが底面部７３に存在するために、その蓋部７２を開けた際に底面部７３が屈曲した状態となり、不安定になって転倒してしまう。
【０００９】
このため、バッグを寝かせた状態で蓋部７２を開けるようにすることもできるが、このようにした場合であっても、蓋部７２の重みによって蓋が閉じる方向に力が作用してしまい、書類などの出し入れが不便になるといった問題があった。
【００１０】
そこで、本考案は上記課題を解決するために、木材を使用して本体と蓋部を構成した木製バッグにおいて、開口部を大きく開けられるようにして書類などを取り出しやすくするとともに、蓋部を開けた場合であってもバッグ全体を転倒しにくくした木製バッグを提供することを目的とする。
【課題を解決するための手段】
【００１１】
すなわち、本考案は上記課題を解決するために、木材で構成された木製バッグにおいて、ボックス状に構成され、前面部および左右両側面部および上面部に設けられた縁部に沿って前面側を開放させた木製本体と、当該開放部分を覆うように、前面部および左右両側面部および上面部を有するように設けられた木製蓋部とを有し、前記蓋部の回動中心を、本体の前面側における底面部から上方の水平な縁部に設けるようにしたものである。
【００１２】
このように構成すれば、ボックス状の木製本体を起立させた状態で、底面部から少し離れた回動中心を中心として蓋部を開放させることができるので、開放部分を大きくすることができ、書類などを出し入れしやすくすることができる。また、高い位置に設けられた回動中心を中心として木製蓋部を開閉させるため、底面部が屈曲した形とならず、起立状態を安定させることができる。
【００１３】
また、このような考案において、前記木製蓋部の上端部を、床面に接地可能な位置まで回動できるようにしておく。
【００１４】
このようにすれば、木製蓋部の上端部を床面に接地させるように回動させることで、木製蓋部の重みを床面と回動中心で支持することができ、木製蓋部の重みで木製本体が転倒してしまうようなことがなくなる。
【００１５】
さらに、前記回動中心を、木製蓋部を回動させた際に、木製蓋部の上面部と木製本体の底面部が同じ平面となるような位置に設けるようにする。
【００１６】
このように構成すれば、木製蓋部を折り返すように開放させて床面に起立させることができるため、接地面積を大きくして起立状態を安定させることができる。
【考案の効果】
【００１７】
本考案によれば、木材で構成された木製バッグにおいて、ボックス状に構成され、前面部および左右両側面部および上面部に設けられた縁部に沿って前面側を開放させた木製本体と、当該開放部分を覆うように、前面部および左右両側面部および上面部を有するように設けられた木製蓋部とを有し、前記蓋部の回動中心を、本体の前面側における底面部から上方の水平な縁部に設けるようにしたので、開放部分を大きくすることができ、書類などを出し入れしやすくすることができる。また、高い位置に設けられた回動中心を中心として木製蓋部を開閉させるため、底面部が屈曲した形とならず、起立状態を安定にさせることができる。
【図面の簡単な説明】
【００１８】
【図１】本考案の一実施の形態を示す木製バッグの斜視図
【図２】同形態における正面図
【図３】同形態における断面図
【図４】他の実施における木製バッグの木製蓋部を開放させた状態図
【図５】従来の木製バッグを示す図
【考案を実施するための最良の形態】
【００１９】
以下、本考案の一実施の形態について図面を参照しながら説明する。
【００２０】
この実施の形態における木製バッグ１は、手提げバッグやショルダーバッグなどとして使用されるものであって、桐などの木材を加工して形成される。そして、特徴的に、図１に示すように、下方前面部２４および左右両側面部２２および上面部２３に設けられた縁部Ｒに沿って前面側を開放させた木製本体２と、当該開放部分を覆うように、上方前面部３１および左右両側面部３２および上面部３３を有するように設けられた木製蓋部３とを有し、前記木製蓋部３の回動中心を、木製本体２の前面側における底面部２０から上方の水平な縁部２４Ｒに設けるようにして、木製本体２を立位状態のまま大きく開放させるようにしたものである。以下、本実施の形態における木製バッグ１について詳細に説明する。
【００２１】
まず、木製本体２は、内部に書類などを収容できるようにした収容空間を有するボックス状に構成されるものであって、図１に示すように、裏面部２１、上面部２３、左右両側面部２２、底面部２０、前面側の下方前面部２４（図２や図３参照）を有するように構成され、前面部分を開放させるようにしたものである。この開放部分は、下方前面部２４の上端部分である前面縁部２４Ｒと、この前面縁部２４Ｒから左右両側面側に伸びる左右水平縁部２２Ｒと、その左右水平縁部２２Ｒから鉛直方向に伸びる鉛直縁部２２ｒと、上面部２３に設けられる上面縁部２３Ｒとによって囲まれた領域で形成されており、下方前面部２４の奥方を受皿状にして書類などを収容させられるようにしている。そして、このような木製本体２の上面部２３に取手６を取り付けるとともに、必要に応じて左右両側面部２２にベルト取付用の金具を取り付けて、ショルダーバッグとして使用できるようにしてもよい。なお、ここでは、この木製本体２を、ボックス形状としているが、略三角形状などのような他の形状としてもよい。この場合、底面部２０や左右両側面部２２、上面部２３については、明確に領域を区別されるものではなく、底面方向や側面方向、上面方向の領域として把握される。
【００２２】
一方、木製蓋部３は、木製本体２の開放部分を覆うように、上方前面部３１および左右両側面部３２および上面部３３を有するように設けらえるものであって、開口部分の縁部２１Ｒ〜２４Ｒに密着するように閉じることによって、全体として図２に示すようなボックス状に見えるようにしたものである。
【００２３】
このような構成において、この木製蓋部３は、下方前面部２４の水平方向をなす縁部２４Ｒに設けられたヒンジ４によって木製本体２に取り付けられ、このヒンジ４を中心として前方に開放できるようになっている。このヒンジ４によって木製蓋部３を開放させる場合、図１に示すように、木製蓋部３の上端部３４を床面に接地させるように開放させ、これによってヒンジ４とその上端部３４で木製蓋部３を床面に支持させるようにしている。これにより、木製本体２を起立させて書類などを収容する場合、重い木製蓋部３によってバランスを崩して転倒するようなことがなく、起立状態で書類などを収容することができるようになる。
【００２４】
また、この下方前面部２４の縁部Ｒは、高さ方向の中央付近に設けるようにしてもよい。このような位置に縁部２４Ｒを設けてヒンジ４で開放させるようにすれば、図４に示すように、木製蓋部３を１８０度開放させた場合に、その上面部２３と木製本体２の底面部２０とを一致させることができ、床面に起立させた場合に、底面部２０と上面部３３で安定感を持たせて起立状態を維持させることができるようになる。また、この場合、木製本体２の下方前面部２４の高さ寸法が高くなるので、机上などに置いた場合に、ファイルボックスとして使用することもできるようになる。
【００２５】
そして、この木製蓋部３を閉じる場合は、木製本体２と木製蓋部３の上面部２３にマグネット５を取り付けておき、このマグネット５による磁力によって閉じた状態を維持できるようにしている。なお、ここでは、マグネット５で閉じた状態を維持できるようにしているが、必要に応じて錠前やバックルなどを取り付けて閉じた状態を維持できるようにしてもよい。
【００２６】
このように上記実施の形態によれば、桐などの木材で構成された木製バッグ１において、ボックス状に構成され、下方前面部２４および左右両側面部２２および上面部２３に設けられた縁部２１Ｒ〜２４Ｒに沿って前面側を開放させた木製本体２と、当該開放部分を覆うように、上方前面部３１および左右両側面部３２および上面部３３を有するように設けられた木製蓋部３とを有し、前記木製蓋部３の回動中心を、木製本体２の下方前面部２４における底面部２０から上方の水平な縁部２４Ｒに設けるようにしたので、開放部分を大きくすることができ、書類などを出し入れしやすくすることができる。また、ヒンジ４などの回動中心が底面部２０に存在しないために、床面との起立状態を安定にさせることができ、転倒などを防止することができる。
【００２７】
また、木製蓋部３の上端部３４を、床面に接地可能な位置まで回動できるようにしたので、木製蓋部３の上端部３４を床面に接地させるように回動させた場合、木製蓋部３の重みを床面と回動中心で支持することができ、木製蓋部３の重みで木製本体２が転倒してしまうようなことがなくなる。
【００２８】
さらに、図４に示すように、前記回動中心を、木製蓋部３を回動させた際に、木製蓋部３の上面部２３と木製本体２の底面部２０が同じ平面となるような位置に設けるようにした場合は、木製蓋部３を折り返すように開放させて床面に起立させることができ、接地面積を大きくして安定して木製本体２を起立させておくことができるようになる。
【００２９】
なお、本考案は上記実施の形態に限定されることなく種々の態様で実施することができる。
【００３０】
例えば、上記実施の形態では、桐で木製本体２や木製蓋部３を構成するようにしたが、これ以外の木材で構成するようにしてもよい。
【００３１】
また、上記実施の形態では、木製本体２の側面部分も開放させるようにしているが、前面部分と上面部分のみを開放させるようにするとともに、木製蓋部３を逆Ｌ字状にしてこの開放部分を覆うようにしてもよい。
【００３２】
さらに、上記実施の形態において、更に、木製蓋部３の内側にポケットなどを設けて小分けされた状態で収容物を収容できるようにしてもよい。
【符号の説明】
【００３３】
１・・・木製バッグ
２・・・木製本体
２０・・・底面部
２１・・・裏面部
２２・・・側面部
２３・・・上面部
２４・・・下方前面部
２１Ｒ、２２Ｒ、２３Ｒ、２４Ｒ・・・縁部
３・・・木製蓋部
３１・・・前面部
３２・・・側面部
３３・・・上面部
３４・・・上端部
４・・・ヒンジ
５・・・マグネット
６・・・取手
【図１】
0003206152.tif 000003
【図２】
0003206152.tif 000004
【図３】
0003206152.tif 000005
【図４】
0003206152.tif 000006
【図５】
0003206152.tif 000007